(57)【要約】      （修正有）【課題】地面に置くだけで獣を撃退する移動式の釘棒型獣撃退具を提供する。【解決手段】本撃退具の特徴はワイヤーメッシュやトタン等の防御壁に比べて設置が簡単で獣に地雷の様な恐怖を与えて撃退するため、人が見て分かり難い欠点にも成るので本撃退具設置範囲には銀色などの光物目印テープを張って分かり易くし各撃退具に目印棒を立てた危険ゾーンを構成して区分しておく必要がある。この光物目印テープや目印棒で分かり易くした危険ゾーンで獣を警戒させ危険ゾーンに入った獣を釘棒型獣撃退具で痛め怖がらせ撃退する。また、獣は痛い思いをした学習で来なくなるし危険ゾーンの構成は人の安全作業にも役立つ。尚、撃退具は警戒心が強く学習能力でわなを避ける獣もわな近傍に設置した本撃退具に足等を傷め驚き警戒心を忘れた動きをし、わな等で捕獲し易くなる。【選択図】図２
0003150084.tif 000002
【実用新案登録請求の範囲】
【請求項１】
鉄製の棒に釘状の突起をつけた釘棒を格子状、または、円形状にした移動式の釘棒型獣撃退具であって地面に置くだけで設置できる釘棒型獣撃退具
【請求項２】
請求項１に記載した釘棒型獣撃退具であって、獣が足を引っかけ易くする為に棒を曲げ地面に置いたとき釘棒型獣撃退具の釘棒部が地面上に持ち上がった状態で設置できることを特徴とした釘棒型獣撃退具
【考案の詳細な説明】
【技術分野】
【０００１】  猪、鹿、熊など里の作物を荒らす有害動物、以下、獣と言うを山から下ろさない為や畑などの農作物を獣から守る為の獣撃退具または獣捕獲の助力を目的にわなの近傍に設置する獣撃退具に関するものである。
【背景技術】
【０００２】  獣を山地に封じ込め山から里に下ろさない様にする為に山地に設置する電気柵は木の枝や草が被さって漏電や故障の問題が発生し易く山地に設置できない問題がある。また、ワイヤーメッシュやトタン等の防御壁で山地や畑を仕切る防御柵は資材と手間が膨大でコスト高になる問題がある。尚、電気柵やワイヤーメッシュやトタン等の防御壁は急を要する農作物防御が難しい。また、増え過ぎて困る獣をわなで捕獲するに当たっては、警戒心の強い獣がわなを学習してわなにかからなくなっている現況にあるので獣捕獲の助力となる獣撃退具が必要である。
【考案の開示】
【考案が解決しようとする課題】
【０００３】  電気柵は漏電や故障の問題があり草木の茂る山地の設置に不向きであり、ワイヤーメッシュや防御壁で山地を仕切るには支柱も含め膨大な資材と設置手間でコスト高になる。よって、この問題を解決するため山地に簡単に持って行き地面に置くだけで設置できる移動式の獣撃退具を考案した。【０００４】  資材コストを低く抑えるため地雷の様な点在設置で獣を山から里に下さない様にする獣撃退効果の大きい移動式の獣撃退具が必要である。尚、移動式で簡単に設置できる地雷の様な本撃退具の特性を活用して農作物を守る事ができ、獣をわなで捕獲する助力にする事もできる。
【課題を解決するための手段】
【０００５】  丸棒あるいは角棒に釘状の突起を持つ釘棒を格子状にした棒型獣撃退具は地面に置くだけで設置できる獣撃退具となる。また、電気を使わないシンプルな構造で支柱を必要としないので何処にでも簡単に持って行き設置できる移動式の棒型獣撃退具となる。【０００６】  釘棒型獣撃退具で獣が足を引っかけ易くする為に釘棒型獣撃退具の格子長手方向を曲げて置けば本撃退具の長手方向は地面上に持ち上がった状態で設置され獣が足を引かけ易くなる。【０００７】  釘棒型獣撃退具は人から見て分かり難い欠点を有しているので、釘棒型獣撃退具の設置範囲を銀色などの光物目印テープで張って釘棒型獣撃退具一個に一本の目印棒を立てた危険ゾーンを構成して分かり易く区分しておく必要がある。尚、この危険ゾーンは獣を警戒させ近づけない相乗効果もある。【０００８】  釘棒型獣撃退具を簡単に移動できるようにするため格子状の短い方は釘を持たない普通の棒にしておけば五個位を一緒に重ねて釘のない部分を手で持って簡単に持ち運び出来る。また、地面に置く移動式の釘棒型獣撃退具であり好きな場所に何時でも簡単に設置して獣を撃退する事がでる。尚、草刈り作業等で一時的に撤去したい時は釘のない部分を手で持って簡単に撤去することもできる。【０００９】  木や竹等を利用して空中を移動する猿やハクビシン等の侵入を助ける木や竹がない平地では猿やハクビシンも地面上を移動して農地を荒らすので、本撃退具を地面上に設置して置けば猿やハクビシン等も猪と同様に防御する事ができる。【００１０】  また、釘棒型獣撃退具は移動式で、猪や猿などの獣から見て分かり難い存在で地雷の様な役目を果たすので、本撃退具を農地への進路となる草地などに設置して置けば、足等を痛める怖さで獣が再来しなくなる。よって、釘棒型獣撃退具は地雷の様に点在させて設置するだけで獣が怖がって来なくなる。釘棒型獣撃退具のメリットは簡単に設置して簡単に撤去出来る移動式である事にあり、猪、熊、猿やハクビシン等の被害が予想以上に早く発生し始める時や、防御柵の設置が間に合わない時に釘棒型獣撃退具を用いれば臨機応変に対応できる。【００１１】  従来型の網やトタンを用いる防御柵は獣に痛い思いをさせる事が出来ないので再来され獣の学習能力で弱い所から突破され易いが、本撃退具は獣に痛い思いをさせる事が出来るので痛さ怖さを学習して来なくなる。また、群れをなす猪や猿等は一頭が痛い思いをすると群れごと撤退するので本撃退具の果たす役割は大きい。【００１２】  獣道に設置するくくりわなだけでは警戒心の強い獣の学習能力で捕獲が困難になっているが、くくりわな近傍に獣から見て分かり難い地雷の様な役目を果たす本撃退具を設置して置く事で足等を痛めた獣が警戒心を忘れた動きをしてわなに掛かり易くなる。尚、小型の釘棒型獣撃退具を用い、落ち葉等をかけ分からなくして設置すると良い。
【考案の効果】
【００１３】  丸棒あるいは角棒に釘状の突起を持つ釘棒を格子状にして地面に置く移動式の釘棒型獣撃退具は電気を使わないシンプルな構造なので簡単に移動や設置ができる。また、釘棒型獣撃退具で獣が足を引っかけ易くするため格子長手方向を曲げた釘棒型獣撃退具は地面上に持ち上がった状態で設置されるため獣が足を引かけ易く獣防御に役立つ。【００１４】  釘棒型獣撃退具は人から見て分かり難い欠点を有しているので、釘棒型獣撃退具の設置範囲を銀色などの光物目印テープを張って分かり易くしくし各撃退具に目印棒を立てた危険ゾーンを構成して分かり易く区分しておく必要がある。この目印が安全につながり獣を警戒させ近づけない様にする相乗効果にもなる。また、区分した危険ゾーンの目印が里と獣の棲む山とを区分する役目を果たす。尚、草刈り作業時の撤去や設置作業の忘れ防止等の役目も果たす。【００１５】  本撃退具を用いれば獣に痛い思いをさせる事が出来るので痛さ怖さを学習して来なくなる。また、群れをなす猪や猿等は一頭が痛い思いをすると群れごと危険を察知して撤退するので本撃退具の果たす役割は大きい。【００１６】  移動式の本撃退具を農作物の回りや果樹の木の下に設置して置けば、地面上を歩行して侵入してくる獣を阻止できるので臨機応変に農作物や果樹を守る事ができる。【００１７】  獣から見て分からない存在の本撃退具は地雷の様な役目を果たすので、従来型の高く丈夫な防御柵で獣を防御するのに比べて低コストで獣を撃退できる。また、鉄製の本撃退具は適度の重さで自然の変化、例えば、風に飛ばされたりする事もなく地面に置いただけで獣を防御する釘棒型撃退具となる。また、釘状の突起をステンレスにしておけば錆びによる劣化を防止できる。【００１８】  本撃退具を設置して置く事で足等を痛めた獣が警戒心を忘れた動きをするので、警戒心が強く学習能力でわなにかからなくなった獣が本撃退具近傍のわなで捕獲される。この様に獣捕獲の助力として使う釘棒型撃退具は獣に全くわからない方が良いので小型の釘棒型撃退具を用いても良く円形の釘棒型撃退具を用いてもの構わない。
【考案を実施するための最良の形態】
【００１９】  電気柵の設置が不向きな山地に設置して山地から農地に侵入する獣を防御する。尚、移動式で獣に地雷の様な恐怖心を与える本撃退具は防御柵に比べて低コストで獣を防御できるが防御の確実性に問題があるため臨機応変に農作物が実り獣に荒らされる時期は本撃退具の設置量を増やすなどの調整が必要である。また、本撃退具は人から見て分かり難い欠点を有しているので設置範囲には銀色などの光物テープを張って分かり易くし各撃退具に目印棒を立てた危険ゾーンを構成して分かり易く区分しておく必要がある。この危険ゾーンの目印が獣を警戒させ獣を農作物に近づけない様にする相乗効果がある。なお、危険ゾーンを構成によって安全に仕事ができる事につながり、本撃退具の設置や撤去の際の忘れを防ぐ役目も果たす。
【実施例】
【００２０】  図１〜図６に従って実施例を説明する。１の鉄製丸棒に２の釘を持つ釘棒を長方形の格子状にした３の釘棒型獣撃退具の平面図を図１に示す。釘棒型獣撃退具で獣が足を引っかけ易くした３の釘棒型獣撃退具は図２、図３に示す通りで格子長手方向を曲げ４の地面上に持ち上がった状態で設置される。また、シンプルな形状で４の地面に密着した状態で設置される３の釘棒型獣撃退具は図４、図５に示す通りであり獣から見て更に分かり難い存在の撃退具となる。獣が山から里に下りてくる獣道、または、農作物の近傍に設置する場合それぞれの特徴を生かし、好みで設置して構わない。【００２１】  警戒心が強く学習能力でわなにかからなくなった獣も１の鉄製丸棒に２の釘を持つ３の釘棒型獣撃退具をわなの近傍に設置して置く事で本撃退具に足等を痛めた獣が警戒心を忘れた動きをしてわなで捕獲される。この様に獣捕獲の助力として使う釘棒型撃退具は獣に全くわからない方が良いので落ち葉等で分からなくしておくと良い。【００２２】  ３の釘棒型獣撃退具は人が見ても分かり難い欠点を有しているので設置範囲には６の光物目印テープを張って分かり易くし、各３の釘棒型獣撃退具に５の目印棒を立てた危険ゾーンを図６に示す様に構成して分かり易く区分しておく必要がある。この６の危険ゾーンの光物目印テープや５の目印棒が獣を警戒させ獣を近づけない様にする相乗効果がある。なお、６の危険ゾーンに入った獣は３の釘棒型獣撃退具で痛い思いをし、この学習で怖がって６の危険ゾーンを突破出来なくなる。また、危険ゾーンの構成によって安全に仕事ができる事につながり本撃退具の設置や撤去の際の忘れを防ぐ役目も果たす。
【図面の簡単な説明】
【００２３】
【図１】本考案の釘棒型獣撃退具の実施例を示す平面図である。
【図２】本考案の釘棒型獣撃退具の実施例を示す正面図である。
【図３】本考案の釘棒型獣撃退具の実施例を示す側面図である。
【図４】本考案の釘棒型獣撃退具の実施例を示す正面図である。
【図５】本考案の釘棒型獣撃退具の実施例を示す側面図である。
【図６】危険ゾーン構成の実施例を示す平面図である。
【符号の説明】
【００２４】１  鉄製の棒
２  釘状の突起
３  釘棒型獣撃退具地面
４  地面
５  目印棒
６  光物目印テープ等で区分する危険ゾーン
【図１】
0003150084.tif 000003
【図２】
0003150084.tif 000004
【図３】
0003150084.tif 000005
【図４】
0003150084.tif 000006
【図５】
0003150084.tif 000007
【図６】
0003150084.tif 000008